(57)【要約】【課題】環境分野や食品分野や医療分野の検査・診断等に使用されるバイオセンサキットのチップにおいて、動作電極上のみにレセプターを固相化できることを目的とする。【解決手段】基板１上に動作電極２を形成し、底面が前記動作電極の面積以下の押し当て手段５を設け、前記押し当て手段５の底面にレセプター溶液４を付着させ、前記押し当て手段５の底面を前記動作電極２上へ押し当てる構成において、前記レセプター３が前記動作電極２上のみ接触し固相化することができる。【選択図】図１
2006071399.tif 000002
【特許請求の範囲】
【請求項１】
基板上に動作電極を形成し、前記動作電極上に検知対象物と特異的に反応するレセプターを固相化する方法において、底面が前記動作電極の面積以下の押し当て手段を設け、前記押し当て手段の底面にレセプター溶液を付着させ、前記押し当て手段の底面を前記動作電極上へ押し当てることにより前記レセプターが前記動作電極上のみ接触し固相化することができることを特徴とするレセプターの固相化方法。
【請求項２】
押し当て手段の底面にレセプター溶液を含有した含有部を設け、前記押し当て手段の前記含有部を前記動作電極上へ押し当てることにより前記レセプターが前記動作電極上のみ接触し固相化することができることを特徴とする請求項１記載のレセプターの固相化方法。
【請求項３】
基板上に動作電極を形成し、前記動作電極上に検知対象物と特異的に反応するレセプターを固相化する方法において、レセプター溶液を前記動作電極上へ滴下し固相化したのち前記動作電極を覆う遮蔽部を前記動作電極上へ設け、前記動作電極周囲に固相化された前記レセプターを分解・破壊手段で前記レセプターを分解・破壊することにより反応性を有する前記レセプターが前記動作電極上のみ固相化することができることを特徴とするレセプターの固相化方法。
【請求項４】
分解・破壊手段として熱にすることにより検知対象物と特異的に反応性を有するレセプターが動作電極上のみ固相化することができることを特徴とする請求項３記載のレセプターの固相化方法。
【請求項５】
分解・破壊手段として溶剤にすることにより検知対象物と特異的に反応性を有するレセプターが動作電極上のみ固相化することができることを特徴とする請求項３記載のレセプターの固相化方法。
【請求項６】
分解・破壊手段としてＵＶ（紫外線）にすることにより検知対象物と特異的に反応性を有するレセプターが動作電極上のみ固相化することができることを特徴とする請求項３記載のレセプターの固相化方法。
【請求項７】
分解・破壊手段として削ることにより検知対象物と特異的に反応性を有するレセプターが動作電極上のみ固相化することができることを特徴とする請求項３記載のレセプターの固相化方法。
【請求項８】
分解・破壊手段として圧力をかけることにより検知対象物と特異的に反応性を有するレセプターが動作電極上のみ固相化することができることを特徴とする請求項３記載のレセプターの固相化方法。
【請求項９】
基板上に動作電極を形成し、前記動作電極上に検知対象物と特異的に反応するレセプターを固相化する方法において、前記電極以外の表面の一部あるいは全面に前記レセプターを分解させる分解手段を設け、前記動作電極周囲の前記基板に固相化された前記レセプターを分解することにより検知対象物と特異的に反応性を有する前記レセプターが前記動作電極上のみ固相化することができることを特徴とするレセプターの固相化方法。
【請求項１０】
分解手段の材料としてレセプターを分解する触媒を用いることにより検知対象物と特異的に反応性を有するレセプターが前記動作電極上のみ固相化することができることを特徴とする請求項９記載のレセプターの固相化方法。
【請求項１１】
分解手段の材料の担持方法として基板表面にコーティングすることにより検知対象物と特異的に反応性を有するレセプターが前記動作電極上のみ固相化することができることを特徴とする請求項９および１０記載のレセプターの固相化方法。
【請求項１２】
分解手段の材料の担持方法として基板材料に添加することにより検知対象物と特異的に反応性を有するレセプターが前記動作電極上のみ固相化することができることを特徴とする請求項９および１０記載のレセプターの固相化方法。
【請求項１３】
基板上に動作電極を形成し、前記動作電極上に検知対象物と特異的に反応するレセプターを固相化する方法において、レセプター溶液を前記動作電極上へ滴下し固相化したのち前記動作電極を覆う遮蔽部を前記動作電極上へ設け、前記動作電極周囲に固相化された前記レセプターをブロッキング手段で前記レセプターの反応部位をブロッキングすることを特徴とするレセプターの固相化方法。
【請求項１４】
ブロッキング手段としてあらかじめ検知対象物と反応させることにより検知対象物と反応性を有するレセプターが動作電極上のみ固相化することができることを特徴とする請求項１３記載のレセプターの固相化方法。
【請求項１５】
ブロッキング手段としてあらかじめレセプターの検知対象物と反応する反応部位に結合する結合物を結合させることにより検知対象物と反応性を有する前記レセプターが動作電極上のみ固相化することができることを特徴とする請求項１３記載のレセプターの固相化方法。
【請求項１６】
基板上に動作電極を形成し、前記動作電極上に検知対象物と特異的に反応するレセプターを固相化する構成において、前記基板上にレセプター溶液が前記基板の前記動作電極以外の表面にいかないように前記動作電極以外の表面の一部あるいは全面に被覆部を設ける
ことにより前記動作電極上のみ前記レセプターが固相化することできることを特徴とするチップ構成。
【請求項１７】
被覆部として上方に高く形成することにより前記動作電極上のみ前記レセプターが固相化することできることを特徴とする請求項１６記載のチップ構成。
【請求項１８】
被覆部として動作電極以外の表面の一部あるいは全面に取り外しできるシールにし、レセプターを固相化後前記シールを剥がすことにより前記動作電極上のみ前記レセプターが固相化することできることを特徴とする請求項１６記載のチップ構成。
【請求項１９】
被覆部として表面を撥水性にすることにより前記動作電極上のみ前記レセプターが固相化することできることを特徴とする請求項１６記載のチップ構成。
【請求項２０】
基板上に動作電極を形成し、前記動作電極上に検知対象物と特異的に反応するレセプターを固相化する構成において、前記動作電極に加工手段を施すことにより前記動作電極上のみ前記レセプターが固相化することできることを特徴とするチップ構成。
【請求項２１】
加工手段として動作電極の中央部を凹部に設けることにより前記動作電極上のみ前記レセプターが固相化することできることを特徴とする請求項２０記載のチップ構成。
【発明の詳細な説明】
【技術分野】
【０００１】
本発明は、検知対象物、例えば、抗原となり得る化学物質や環境ホルモンやタンパク質や微生物・ウイルス等迅速に検知するのに使用される環境分野や食品分野や医療分野の検査・診断におけるバイオセンサキットのレセプター固相化方法とチップ構成に関する。
【背景技術】
【０００２】
従来、この種の生体試料のレセプターを固相化する方法は、特許文献１に記載されたものが知られている。
【０００３】
以下、その生体試料のレセプターを固相化する方法はについて図２３を参照しながら説明する。
【０００４】
図に示すように、分注体１０１の先端部に毛細血管部１０２を有し、前記毛細血管部１０２には試料１０３が吸引・保持されており、前記分注体１０１の先端部をプレート１０４に接触させ、前記プレート１０４に付着した前記試料１０３の表面張力により前記毛細血管部１０２内から前記試料１０３が、表面張力に応じた量で導出され固相化されるというものであった。
【特許文献１】特開平１１−３３７５５７号公報
【発明の開示】
【発明が解決しようとする課題】
【０００５】
このような従来のレセプター固相化方法とチップ構成では、微小領域である動作電極上に検知対象物と特異的に反応するレセプターを固相化する際、レセプター溶液が前記動作電極上のみ接触せず前記レセプター溶液が周囲に広がり前記動作電極上のみ固相化することができないという課題があり、前記レセプター溶液が前記動作電極上のみ接触し固相化することができることが要求されている。
【０００６】
また、このような従来のレセプター固相化方法では、微小領域である動作電極上に検知対象物と特異的に反応するレセプターを固相化する際、レセプター溶液が前記動作電極上のみ接触せず前記レセプター溶液が周囲に広がり前記動作電極上のみ固相化することができないという課題があり、前記レセプター溶液が周囲に広がり固相化されても反応性を有する前記レセプターが前記動作電極上のみ固相化することができることが要求されている。
【０００７】
本発明は、このような従来の課題を解決するものであり、レセプター溶液が前記動作電極上のみ接触し固相化することができるレセプター固相化方法とチップ構成を提供することを目的としている。
【０００８】
また本発明は、レセプター溶液が周囲に広がり固相化されても反応性を有する前記レセプターが前記動作電極上のみ固相化することができるレセプター固相化方法を提供することを目的としている。
【課題を解決するための手段】
【０００９】
本発明のレセプター固相化方法は上記目的を達成するために、底面が前記動作電極の面積以下の押し当て手段を設け、前記押し当て手段の前記底面にレセプター溶液を付着させ、前記押し当て手段の底面を前記動作電極上へ押し当てることとしたものである。
【００１０】
この手段により、前記レセプター溶液が前記動作電極上のみ接触し前記レセプターを固相化することができるレセプター固相化方法が得られる。
【００１１】
また他の手段は、押し当て手段の底面にレセプター溶液を含有した含有部を設け、前記押し当て手段の前記含有部を前記動作電極上へ押し当てることとしたものである。
【００１２】
この手段により、前記レセプター溶液が前記動作電極上のみ接触しレセプターを固相化することができるレセプター固相化方法が得られる。
【００１３】
また他の手段は、レセプター溶液を動作電極上へ滴下し固相化したのち前記動作電極を覆う遮蔽部を前記動作電極上へ設け、前記動作電極周囲に固相化されたレセプターを分解・破壊手段で前記レセプターを分解・破壊することとしたものである。
【００１４】
この手段により、前記レセプター溶液が周囲に広がり前記レセプターが固相化されても前記分解・破壊手段により前記動作電極周囲に固相化された前記レセプターのみ分解・破壊され、反応性を有する前記レセプターが前記動作電極上のみ固相化することができるレセプター固相化方法が得られる。
【００１５】
また他の手段は、分解・破壊手段として熱にすることとしたものである。
【００１６】
この手段により、レセプター溶液が周囲に広がりレセプターが固相化されても前記分解・破壊手段の熱により動作電極周囲に固相化された前記レセプターのみ分解・破壊され、反応性を有する前記レセプターが前記動作電極上のみ固相化することができるレセプター固相化方法が得られる。
【００１７】
また他の手段は、分解・破壊手段として溶剤にすることとしたものである。
【００１８】
この手段により、レセプター溶液が周囲に広がりレセプターが固相化されても前記分解・破壊手段の溶剤により動作電極周囲に固相化された前記レセプターのみ分解・破壊され、反応性を有する前記レセプターが前記動作電極上のみ固相化することができるレセプター固相化方法が得られる。
【００１９】
また他の手段は、分解・破壊手段としてＵＶ（紫外線）にすることとしたものである。
【００２０】
この手段により、レセプター溶液が周囲に広がりレセプターが固相化されても前記分解・破壊手段のＵＶ（紫外線）により動作電極周囲に固相化された前記レセプターのみ分解・破壊され、反応性を有する前記レセプターが前記動作電極上のみ固相化することができるレセプター固相化方法が得られる。
【００２１】
また他の手段は、分解・破壊手段として削ることとしたものである。
【００２２】
この手段により、レセプター溶液が周囲に広がりレセプターが固相化されても前記分解・破壊手段の削ることにより動作電極周囲に固相化された前記レセプターのみ分解・破壊され、反応性を有する前記レセプターが前記動作電極上のみ固相化することができるレセプター固相化方法が得られる。
【００２３】
また他の手段は、分解・破壊手段として圧力をかけることとしたものである。
【００２４】
この手段により、レセプター溶液が周囲に広がりレセプターが固相化されても前記分解・破壊手段の圧力をかけることにより動作電極周囲に固相化された前記レセプターのみ分解・破壊され、反応性を有する前記レセプターが前記動作電極上のみ固相化することができるレセプター固相化方法が得られる。
【００２５】
また他の手段は、動作電極以外の表面の一部あるいは全面にレセプターを分解させる分解手段を設けることとしたものである。
【００２６】
この手段により、レセプター溶液が周囲に広がり前記レセプターが固相化されても前記動作電極以外の表面の一部あるいは全面に前記レセプターを分解させる分解手段を設けることにより前記動作電極周囲に固相化された前記レセプターのみ分解され、反応性を有する前記レセプターが前記動作電極上のみ固相化することができるレセプター固相化方法が得られる。
【００２７】
また他の手段は、分解手段の材料としてレセプターを分解する触媒を用いることとしたものである。
【００２８】
この手段により、レセプター溶液が周囲に広がり前記レセプターが固相化されても前記電極以外の表面の一部あるいは全面に前記レセプターを分解させる触媒を設けることにより前記動作電極周囲に固相化された前記レセプターのみ分解され、反応性を有する前記レセプターが前記動作電極上のみ固相化することができるレセプター固相化方法が得られる。
【００２９】
また他の手段は、分解手段の材料の担持方法として基板表面にコーティングすることとしたものである。
【００３０】
この手段により、レセプター溶液が周囲に広がりレセプターが固相化されても前記電極以外の表面の一部あるいは全面に前記レセプターを分解させる分解手段の材料あるいは触媒を設けることにより前記動作電極周囲に固相化された前記レセプターのみ分解され、反応性を有する前記レセプターが前記動作電極上のみ固相化することができるレセプター固相化方法が得られる。
【００３１】
また他の手段は、分解手段の材料の担持方法として基板材料に添加することとしたものである。
【００３２】
この手段により、レセプター溶液が周囲に広がりレセプターが固相化されても前記電極以外の表面の一部あるいは全面に前記レセプターを分解させる分解手段の材料あるいは触媒を設けることにより前記動作電極周囲に固相化された前記レセプターのみ分解され、反応性を有する前記レセプターが前記動作電極上のみ固相化することができるレセプター固相化方法が得られる。
【００３３】
また他の手段は、レセプター溶液を前記動作電極上へ滴下し固相化したのち前記動作電極を覆う遮蔽部を前記動作電極上へ設け、前記動作電極周囲に固相化された前記レセプターにブロッキング手段を設けることとしたものである。
【００３４】
この手段により、レセプター溶液が周囲に広がり前記レセプターが固相化されても前記レセプターの反応部位がブロッキングされ、反応性を有する前記レセプターが前記動作電極上のみ固相化することができるレセプター固相化方法が得られる。
【００３５】
また他の手段は、ブロッキング手段としてあらかじめ検知対象物と反応させることとしたものである。
【００３６】
この手段により、レセプター溶液が動作電極周囲に広がりレセプターが固相化されても前記レセプターの反応部位が前記検知対象物と反応されているので、反応性を有する前記レセプターが前記動作電極上のみ固相化することができるレセプター固相化方法が得られる。
【００３７】
また他の手段は、ブロッキング手段としてあらかじめレセプターの検知対象物と反応する反応部位に結合する結合物を結合させることとしたものである。
【００３８】
この手段により、レセプター溶液が動作電極周囲に広がり前記レセプターが固相化されても前記レセプターの反応部位が前記結合物と反応されているので、反応性を有する前記レセプターが前記動作電極上のみ固相化することができるレセプター固相化方法が得られる。
【００３９】
また他の手段は、レセプター溶液が基板の動作電極以外の表面にいかないように前記動作電極以外の表面の一部あるいは全面に被覆部を設けることとしたものである。
【００４０】
この手段により、前記被覆部により前記レセプター溶液が前記動作電極以外の表面にいかないようになるので、前記レセプター溶液が前記動作電極上のみ接触し固相化することができるチップ構成が得られる。
【００４１】
また他の手段は、被覆部として上方に高く形成することとしたものである。
【００４２】
この手段により、前記被覆部が高くなることによりレセプター溶液が前記動作電極以外の表面にいかないようになるので、前記レセプター溶液が前記動作電極上のみ接触し固相化することができるチップ構成が得られる。
【００４３】
また他の手段は、被覆部として動作電極以外の表面の一部あるいは全面に取り外しできるシールにすることとしたものである。
【００４４】
この手段により、前記動作電極周囲のレセプターは前記シールを剥がすことにより取り除けるので、レセプター溶液が前記動作電極上のみ接触し固相化することができるチップ構成が得られる。
【００４５】
また他の手段は、被覆部として表面を撥水性にすることとしたものである。
【００４６】
この手段により、動作電極周囲のレセプター溶液ははじくので、前記レセプター溶液が前記動作電極上のみ接触し固相化することができるチップ構成が得られる。
【００４７】
また他の手段は、動作電極に加工手段を施すこととしたものである。
【００４８】
この手段により、前記加工手段によりレセプター溶液が滴下されても前記動作電極周囲にいかないので、前記レセプター溶液が前記動作電極上のみ接触し固相化することができるチップ構成が得られる。
【００４９】
また他の手段は、加工手段として動作電極の中央部を凹部に設けることとしたものである。
【００５０】
この手段により、前記加工手段により前記動作電極上にレセプター溶液が留まるので、
前記レセプター溶液が前記動作電極上のみ接触し固相化することができるチップ構成が得られる。
【発明の効果】
【００５１】
本発明によればレセプター溶液が動作電極上のみ接触し固相化することができる効果のあるレセプター固相化方法とチップ構成を提供できる。
【００５２】
また、本発明によればレセプター溶液が周囲に広がり固相化されても反応性を有するレセプターが前記動作電極上のみ固相化することができる効果のあるレセプター固相化方法を提供できる。
【発明を実施するための最良の形態】
【００５３】
本発明の請求項１記載の発明は、底面が動作電極の面積以下の押し当て手段を設け、前記押し当て手段の底面にレセプター溶液を付着させ、前記押し当て手段の底面を前記動作電極上へ押し当てることとしたものであり、前記レセプター溶液が前記動作電極上のみ接触し固相化することができるという作用を有する。
【００５４】
また本発明の請求項２記載の発明は、押し当て手段の底面にレセプター溶液を含有した含有部を設け、前記押し当て手段の前記含有部を前記動作電極上へ押し当てることとしたものであり、前記レセプター溶液が前記動作電極上のみ接触し固相化することができるという作用を有する。
【００５５】
また本発明の請求項３記載の発明は、レセプター溶液を動作電極上へ滴下し固相化したのち前記動作電極を覆う遮蔽部を前記動作電極上へ設け、前記動作電極周囲に固相化された前記レセプターを分解・破壊手段で前記レセプターを分解・破壊することとしたものであり、前記レセプター溶液が前記動作電極周囲に広がり前記レセプターが固相化されても前記分解・破壊手段により前記動作電極周囲に固相化された前記レセプターのみ分解・破壊され、反応性を有する前記レセプターが前記動作電極上のみ固相化することができるという作用を有する。
【００５６】
また本発明の請求項４記載の発明は、分解・破壊手段として熱にすることとしたものであり、レセプター溶液が周囲に広がりレセプターが固相化されても前記分解・破壊手段の熱により前記動作電極周囲に固相化されたレセプターのみ分解・破壊され、反応性を有する前記レセプターが前記動作電極上のみ固相化することができるという作用を有する。
【００５７】
また本発明の請求項５記載の発明は、分解・破壊手段として溶剤にすることとしたものであり、レセプター溶液が動作電極周囲に広がりレセプターが固相化されても前記分解・破壊手段の溶剤により前記動作電極周囲に固相化された前記レセプターのみ分解・破壊され、反応性を有する前記レセプターが前記動作電極上のみ固相化することができるという作用を有する。
【００５８】
また本発明の請求項６記載の発明は、分解・破壊手段としてＵＶ（紫外線）にすることとしたものであり、レセプター溶液が動作電極周囲に広がりレセプターが固相化されても前記分解・破壊手段のＵＶ（紫外線）により前記動作電極周囲に固相化された前記レセプターのみ分解・破壊され、反応性を有する前記レセプターが前記動作電極上のみ固相化することができるという作用を有する。
【００５９】
また本発明の請求項７記載の発明は、分解・破壊手段として削ることとしたものであり、レセプター溶液が動作電極周囲に広がりレセプターが固相化されても前記分解・破壊手段の削ることにより前記動作電極周囲に固相化された前記レセプターのみ分解・破壊され、反応性を有する前記レセプターが前記動作電極上のみ固相化することができるという作用を有する。
【００６０】
また本発明の請求項８記載の発明は、分解・破壊手段として圧力をかけることとしたものであり、レセプター溶液が動作電極周囲に広がりレセプターが固相化されても前記分解・破壊手段の圧力をかけることにより前記動作電極周囲に固相化された前記レセプターのみ分解・破壊され、反応性を有する前記レセプターが前記動作電極上のみ固相化することができるという作用を有する。
【００６１】
また本発明の請求項９記載の発明は、動作電極以外の表面の一部あるいは全面にレセプターを分解させる分解手段を設けることとしたものであり、レセプター溶液が前記動作電極周囲に広がりレセプターが固相化されても前記動作電極以外の表面の一部あるいは全面に前記レセプターを分解させる分解手段を設けることにより前記動作電極周囲に固相化された前記レセプターのみ分解され、反応性を有する前記レセプターが前記動作電極上のみ固相化することができるという作用を有する。
【００６２】
また本発明の請求項１０記載の発明は、分解手段の材料としてレセプターを分解する触媒を用いることとしたものであり、レセプター溶液が動作電極周囲に広がりレセプターが固相化されても前記動作電極以外の表面の一部あるいは全面に前記レセプターを分解させる触媒を設けることにより前記動作電極周囲に固相化された前記レセプターのみ分解され、反応性を有する前記レセプターが前記動作電極上のみ固相化することができるという作用を有する。
【００６３】
また本発明の請求項１１記載の発明は、分解手段の材料の担持方法として基板表面にコーティングすることとしたものであり、レセプター溶液が動作電極周囲に広がりレセプターが固相化されても前記動作電極以外の表面の一部あるいは全面に前記レセプターを分解させる分解手段あるいは触媒を設けることにより前記動作電極周囲に固相化された前記レセプターのみ分解され、反応性を有する前記レセプターが前記動作電極上のみ固相化することができるという作用を有する。
【００６４】
また本発明の請求項１２記載の発明は、分解手段の材料の担持方法として基板材料に添加することとしたものであり、レセプター溶液が動作電極周囲に広がりレセプターが固相化されても前記動作電極以外の表面の一部あるいは全面に前記レセプターを分解させる分解手段あるいは触媒を設けることにより前記動作電極周囲に固相化された前記レセプターのみ分解され、反応性を有する前記レセプターが前記動作電極上のみ固相化することができるという作用を有する。
【００６５】
また本発明の請求項１３記載の発明は、レセプター溶液を前記動作電極上へ滴下しレセプターを固相化したのち前記動作電極を覆う遮蔽部を前記動作電極上へ設け、前記動作電極周囲に固相化された前記レセプターにブロッキング手段を設けることとしたものであり、前記レセプター溶液が動作電極周囲に広がり前記レセプターが固相化されても前記レセプターの反応部位がブロッキングされ、反応性を有する前記レセプターが前記動作電極上のみ固相化することができるという作用を有する。
【００６６】
また本発明の請求項１４記載の発明は、ブロッキング手段としてあらかじめ検知対象物と反応させることとしたものであり、レセプター溶液が動作電極周囲に広がりレセプターが固相化されても前記レセプターの反応部位が前記検知対象物とあらかじめ反応されているので、反応性を有する前記レセプターが前記動作電極上のみ固相化することができるという作用を有する。
【００６７】
また本発明の請求項１５記載の発明は、ブロッキング手段としてあらかじめレセプターの検知対象物と反応する反応部位に結合する結合物を結合させることとしたものであり、レセプター溶液が動作電極周囲に広がり前記レセプターが固相化されても前記レセプターの反応部位が前記結合物と反応されているので、反応性を有する前記レセプターが前記動作電極上のみ固相化することができるという作用を有する。
【００６８】
また本発明の請求項１６記載の発明は、基板上にレセプター溶液が前記基板の前記動作電極以外の表面にいかないように前記動作電極以外の表面の一部あるいは全面に被覆部を設けることとしたものであり、前記被覆部により前記レセプター溶液が前記動作電極以外の表面にいかないようになるので、前記レセプター溶液が前記動作電極上のみ接触し固相化することができるという作用を有する。
【００６９】
また本発明の請求項１７記載の発明は、被覆部として上方に高く形成することとしたものであり、前記被覆部が高くなることによりレセプター溶液が前記動作電極以外の表面にいかないようになるので、前記レセプター溶液が前記動作電極上のみ接触し固相化することができるという作用を有する。
【００７０】
また本発明の請求項１８記載の発明は、被覆部として動作電極以外の表面の一部あるいは全面に取り外しできるシールにすることとしたものであり、前記動作電極周囲のレセプターは前記シールを剥がすことにより取り除けるので、前記レセプター溶液が前記動作電極上のみ接触し固相化することができるという作用を有する。
【００７１】
また本発明の請求項１９記載の発明は、被覆部として表面を撥水性にすることとしたものであり、動作電極周囲のレセプター溶液ははじくので、前記レセプター溶液が前記動作電極上のみ接触し固相化することができるという作用を有する。
【００７２】
また本発明の請求項２０記載の発明は、動作電極に加工手段を施すこととしたものであり、前記加工手段によりレセプター溶液が滴下されても前記動作電極周囲にいかないので、前記レセプター溶液が前記動作電極上のみ接触し固相化することができるという作用を有する。
【００７３】
また本発明の請求項２１記載の発明は、加工手段として動作電極の中央部を凹部に設けることとしたものであり、前記加工手段により前記動作電極上にレセプター溶液が留まるので、前記レセプター溶液が前記動作電極上のみ接触し固相化することができるという作用を有する。
【００７４】
以下、本発明の実施の形態について図面を参照しながら説明する。
【００７５】
（実施の形態１）
図１および図２に示すように、基板１上には、メッキやスパッタなど公知の方法で形成される動作電極２が形成されている。前記動作電極２の大きさは、０．００２〜４０ｍｍ２の範囲である。前記動作電極２上には、検知対象物と特異的に反応するレセプター３が固相化され、バイオセンサのチップとなる。前記レセプター３の固相化方法について一例をあげて説明すると、まず、純水中やアセトン中での超音波洗浄、ＵＶ オゾン洗浄などにより前記動作電極２表面を洗浄する。次に、４ ，４ ―ジチオジブチル酸のエタノール溶液に前記動作電極２が形成された基板１を浸漬して３０分以上軽く静置もしくは振動を加え、溶液から引き上げた後に純水で前記動作電極２の表面を洗浄させて、前記動作電極２表面にチオール被膜を形成させる。次に、９０容量％の１ ，４ ―ジオキサン溶液に所定量の１―エチル―３ ―（３ ―ジメチルアミノプロピル）―カルボジイミド塩酸塩（ＥＤＣ）とＮ―ヒドロキシスクシンイミド（ＮＨＳ）を添加した溶液に上記の処理を行った前記基板１を浸漬して３０分以上静置あるいは軽く振動を加え、溶液から引き上げた後に純水で洗浄して前記動作電極２表面へのアミノ基形成とその活性化を行う。ここで、このまま乾燥状態で冷蔵もしくは室温で保存してもよい。次に、前記レセプター３を含有しているレセプター溶液４（緩衝液）に、底面が前記動作電極２の面積以下の押し当て手段５を設け、前記押し当て手段５の底面に前記レセプター溶液４を付着させ、前記押し当て手段５の底面を前記動作電極２上へスタンプを押すように押し当て、３０分以上程度高湿雰囲気下において前記動作電極２表面のアミノ基と前記レセプター溶液４とを反応させ、前記レセプター３を固定化させる。最後に前記動作電極２表面に結合していない前記レセプター３を除去するために純水や緩衝液（リン酸緩衝液やトリス緩衝液もしくは界面活性剤入りなど）で洗浄を行う。なお、前記動作電極２表面のアミノ基と前記レセプターはプロテインＡやビオチン―アビジンなどのバインダーを介して結合させてもよい。次に、前記動作電極２上以外の前記基板１に前記検知対象物が結合することを防止するために、前記基板１表面をブロッキングしておくことが望ましい。即ち、牛血清アルブミンやスキムミルクやカゼインなどを含む緩衝液からなるブロッキング溶液に前記基板１を一定時間浸漬し、その後、界面活性剤などを含む緩衝液で洗浄し、前記基板１表面にこれらのタンパク質を吸着させておくことが望ましい。
【００７６】
上記構成において、前記レセプター溶液４が前記動作電極２上のみ接触するので、前記レセプター３が前記動作電極２上のみ固相化がすることができる。
【００７７】
なお、前記押し当て手段５底面の面積は前記動作電極２以下と記載したが望ましくは０．００１８〜３６ｍｍ２の範囲がよく、これ以外でも変動要因である温度（室内，溶液），前記動作電極２表面状態，前記レセプター溶液の組成等により変更する場合もある。
【００７８】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【００７９】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない材料ならなんでもよい。
【００８０】
また、固相化法の一例を記載したが、疎水結合，Ｓ−Ｓ結合等前記レセプター３を前記動作電極２上に固相化できれる方法ならなんでもよい。
【００８１】
また、前記押し当て部５が前記動作電極２を押し当てていたが、逆に前記動作電極２が前記押し当て部５に押し当ててもよい。
【００８２】
また、前記レセプター３の材料は特に記載しなかったが、抗体、抗原、ＤＮＡ・ＲＮＡプローブ、ペプチド、など生体材料ならなんでもよい。
【００８３】
（実施の形態２）
図３に示すように、実施の形態２は実施の形態１とほぼ同等の構成を有し、実施の形態１と同一部分については同一番号を付し詳細な説明は省略する。動作電極２が形成されている基板１に、押し当て手段５の底面にレセプター溶液４を含有できる含有部６を設け、まず前記含有部６をレセプター溶液４に漬けレセプター３を含有させ、次に前記含有部６を前記動作電極２上にスタンプを押すように押し当てて前記レセプター溶液４を前記動作電極２上にのせるように構成されている。
【００８４】
上記構成において、前記含有部６に含有されている前記レセプター溶液４が均一に前記動作電極２上のみ接触するので、前記レセプター３が前記動作電極２上のみ均一に固相化することができる。
【００８５】
なお、前記含有部６の面積は望ましくは０．００１８〜３６ｍｍ２の範囲がよく、これ以外でも変動要因である温度（室内，溶液），前記動作電極２表面状態，前記レセプター溶液の組成等により変更する場合もある。
【００８６】
また、前記含有部６に用いる素材は、スポンジや朱肉などの溶液を均一に含有する素材であり、前記レセプター溶液４に耐久性があり前記レセプター３を失活化させなく溶液を均一に含有する素材ならなんでもよい。
【００８７】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【００８８】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【００８９】
また、前記含有部６が前記動作電極２を押し当てていたが、逆に前記動作電極２が前記含有部６に押し当ててもよい。
【００９０】
また、前記レセプター３の材料は特に記載しなかったが、抗体、抗原、ＤＮＡ・ＲＮＡプローブ、ペプチド、など生体材料ならなんでもよい。
【００９１】
（実施の形態３）
図４に示すように、実施の形態３は実施の形態１とほぼ同等の構成を有している。基板１上に動作電極２を形成し、レセプター溶液４を前記動作電極２上へ滴下しレセプター３を固相化させる。固相化後前記動作電極２を覆う遮蔽部７を前記動作電極２上へ設け、前記基板１上に分解・破壊手段８を施す。前記分解・破壊手段８の構成に関しては、実施の形態４，５，６，７および８で詳細を説明するが、ここでは前記レセプター３を分解・破壊する特性を有しているものである。前記動作電極２周囲に固相化された前記レセプター３に前記分解・破壊手段が及ぶように構成されている。
【００９２】
上記構成において、前記分解・破壊手段８が前記基板１上に固相化されたレセプター３を分解・破壊するが、前記動作電極２上に固相化された前記レセプター３は前記遮蔽部７により前記分解・破壊手段８から遮断され、前記動作電極２周囲に固相化されている前記レセプター３は前記分解・破壊手段８により分解・破壊されるので、反応性を有する前記レセプター３が前記動作電極２上のみ固相化することができる。
【００９３】
なお、前記遮蔽部７に用いる材料は、前記分解・破壊手段に耐えれる材料ならなんでもよい。
【００９４】
また、前記レセプター溶液４の滴下方法は、垂らす，押し当てるなど前記レセプター溶液４が前記動作電極２を覆うようにできればどんな滴下方法でもよい。
【００９５】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【００９６】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【００９７】
また、前記レセプター３の材料は特に記載しなかったが、抗体、抗原、ＤＮＡ・ＲＮＡプローブ、ペプチド、など生体材料ならなんでもよい。
【００９８】
（実施の形態４）
図５に示すように、実施の形態４は実施の形態３とほぼ同等の構成を有し、実施の形態３と同一部分については同一番号を付し詳細な説明は省略する。基板１上に動作電極２を形成し、レセプター溶液４を前記動作電極２上へ滴下しレセプター３を固相化させる。固相化後前記動作電極２を覆う遮蔽部７を前記動作電極２上へ設け、前記基板１上に熱９を施す。前記動作電極２周囲に固相化された前記レセプター３に前記熱９が及ぶように構成されている。
【００９９】
上記構成において、前記熱９が前記基板１上に固相化されたレセプター３を分解・破壊するが、前記動作電極２上に固相化された前記レセプター３は前記遮蔽部７により前記熱９から断熱され、前記動作電極２周囲に固相化されている前記レセプター３は前記熱９により分解・破壊されるので、反応性を有する前記レセプター３が前記動作電極２上のみ固相化することができる。
【０１００】
なお、前記遮蔽部７に用いる材料は、断熱の特性を有している材料ならなんでもよい。
【０１０１】
また、前記熱９は照射のみあるいは照射＋前記基板１表面に冷却設置する等、前記動作電極２に固相化された前記レセプターが分解・破壊されない方法ならなんでもよい。
【０１０２】
また、前記熱９の温度は、前記レセプター３が分解・破壊される温度から前記基板１，前記動作電極２，前記遮蔽部７に影響されない温度範囲なら何度でもよい。
【０１０３】
また、前記レセプター溶液４の滴下方法は、垂らす，押し当てるなど前記レセプター溶液４が前記動作電極２を覆うようにできればどんな滴下方法でもよい。
【０１０４】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１０５】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１０６】
また、前記レセプター３の材料は特に記載しなかったが、抗体、抗原、ＤＮＡ・ＲＮＡプローブ、ペプチド、など生体材料ならなんでもよい。
【０１０７】
（実施の形態５）
図６に示すように、実施の形態５は実施の形態３とほぼ同等の構成を有し、実施の形態３と同一部分については同一番号を付し詳細な説明は省略する。基板１上に動作電極２を形成し、レセプター溶液４を前記動作電極２上へ滴下しレセプター３を固相化させる。固相化後前記動作電極２を覆う遮蔽部７を前記動作電極２上へ設け、前記基板１上に溶剤１０を施す。前記動作電極２周囲に固相化された前記レセプター３に前記溶剤１０が及ぶように構成されている。
【０１０８】
上記構成において、前記溶剤１０が前記基板１上に固相化されたレセプター３を分解・破壊するが、前記動作電極２上に固相化された前記レセプター３は前記遮蔽部７により前記溶剤１０から遮断され、前記動作電極２周囲に固相化されている前記レセプター３は前記溶剤１０により分解・破壊されるので、反応性を有する前記レセプター３が前記動作電極２上のみ固相化することができる。
【０１０９】
なお、前記遮蔽部７に用いる材料は、前記溶剤１０に耐性を有している材料ならなんでもよい。
【０１１０】
また、前記溶剤１０は、滴下する，噴射する等、前記動作電極２周囲に固相化されている前記レセプター３に接触できる方法ならなんでもよい。
【０１１１】
また、前記溶剤１０は、アセトン，エタノール等前記レセプター３が分解・破壊でき、前記基板１，前記動作電極２，前記遮蔽部７に影響されない溶剤ならなんでもよい。
【０１１２】
また、前記レセプター溶液４の滴下方法は、垂らす，押し当てるなど前記レセプター溶液４が前記動作電極２を覆うようにできればどんな滴下方法でもよい。
【０１１３】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１１４】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１１５】
また、前記レセプター３の材料は特に記載しなかったが、抗体、抗原、ＤＮＡ・ＲＮＡプローブ、ペプチド、など生体材料ならなんでもよい。
【０１１６】
（実施の形態６）
図７に示すように、実施の形態６は実施の形態３とほぼ同等の構成を有し、実施の形態３と同一部分については同一番号を付し詳細な説明は省略する。基板１上に動作電極２を形成し、レセプター溶液４を前記動作電極２上へ滴下しレセプター３を固相化させる。固相化後前記動作電極２を覆う遮蔽部７を前記動作電極２上へ設け、前記基板１上にＵＶ（紫外線）１１を施す。前記動作電極２周囲に固相化された前記レセプター３に前記ＵＶ（紫外線）１１が及ぶように構成されている。
【０１１７】
上記構成において、前記ＵＶ（紫外線）１１が前記基板１上に固相化された前記レセプター３を分解・破壊するが、前記動作電極２上に固相化された前記レセプター３は前記遮蔽部７により前記ＵＶ（紫外線）１１から遮断され、前記動作電極２周囲に固相化されている前記レセプター３は前記ＵＶ（紫外線）１１により分解・破壊されるので、反応性を有する前記レセプター３が前記動作電極２上のみ固相化することができる。
【０１１８】
なお、前記遮蔽部７に用いる材料は、前記ＵＶ（紫外線）１１に耐性を有している材料ならなんでもよい。
【０１１９】
また、前記ＵＶ（紫外線）１１は、上方から照射する，横から照射する等、前記動作電極２周囲に固相化されている前記レセプター３に照射できる方法ならなんでもよい。
【０１２０】
また、前記ＵＶ（紫外線）１１の波長は、前記レセプター３が分解・破壊される波長から前記基板１，前記動作電極２，前記遮蔽部７に影響されない波長範囲ならどんな波長でもよい。
【０１２１】
また、前記レセプター溶液４の滴下方法は、垂らす，押し当てるなど前記レセプター溶液４が前記動作電極２を覆うようにできればどんな滴下方法でもよい。
【０１２２】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１２３】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１２４】
また、前記レセプター３の材料は特に記載しなかったが、抗体、抗原、ＤＮＡ・ＲＮＡプローブ、ペプチド、など生体材料ならなんでもよい。
【０１２５】
（実施の形態７）
図８に示すように、実施の形態７は実施の形態３とほぼ同等の構成を有し、実施の形態３と同一部分については同一番号を付し詳細な説明は省略する。基板１上に動作電極２を形成し、レセプター溶液４を前記動作電極２上へ滴下しレセプター３を固相化させる。固相化後前記動作電極２を覆う遮蔽部７を前記動作電極２上へ設け、前記基板１上に削る１２を施す。前記動作電極２周囲に固相化された前記レセプター３に前記削る１２が及ぶように構成されている。
【０１２６】
上記構成において、前記削る１２が前記基板１上に固相化されたレセプター３を分解・破壊するが、前記動作電極２上に固相化された前記レセプター３は前記遮蔽部７により前記削る１２手段から遮断され、前記動作電極２周囲に固相化されている前記レセプター３は前記削る１２により分解・破壊されるので、反応性を有する前記レセプター３が前記動作電極２上のみ固相化することができる。
【０１２７】
なお、前記遮蔽部７に用いる材料は、金属，プラスチック等、前記削る１２に対抗性を有している材料ならなんでもよい。
【０１２８】
また、前記削る１２の方法は、指等による人的，へら，研磨機等道具的等、前記動作電極２周囲に固相化されている前記レセプター３が削れる方法ならなんでもよい。
【０１２９】
また、前記レセプター溶液４の滴下方法は、垂らす，押し当てるなど前記レセプター溶液４が前記動作電極２を覆うようにできればどんな滴下方法でもよい。
【０１３０】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１３１】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１３２】
また、前記レセプター３の材料は特に記載しなかったが、抗体、抗原、ＤＮＡ・ＲＮＡプローブ、ペプチド、など生体材料ならなんでもよい。
【０１３３】
（実施の形態８）
図９に示すように、実施の形態８は実施の形態３とほぼ同等の構成を有し、実施の形態３と同一部分については同一番号を付し詳細な説明は省略する。基板１上に動作電極２を形成し、レセプター溶液４を前記動作電極２上へ滴下しレセプター３を固相化させる。固相化後前記動作電極２を覆う遮蔽部７を前記動作電極２上へ設け、前記基板１上に圧力１３を施す。前記動作電極２周囲に固相化された前記レセプター３に前記圧力１３が及ぶように構成されている。
【０１３４】
上記構成において、圧力１３が前記基板１上に固相化されたレセプター３を分解・破壊するが、前記動作電極２上に固相化された前記レセプター３は前記遮蔽部７により前記圧力１３から遮断され、前記動作電極２周囲に固相化されている前記レセプター３は圧力１３により分解・破壊されるので、反応性を有する前記レセプター３が前記動作電極２上のみ固相化することができる。
【０１３５】
なお、前記遮蔽部７に用いる材料は、金属，プラスチック等、前記圧力１３に対抗性を有している材料ならなんでもよい。
【０１３６】
また、前記圧力１３の方法は、水圧，風圧，物理圧（指、へら等道具）等、前記動作電極２周囲に固相化されている前記レセプター３に圧力をかけられる方法ならなんでもよい。
【０１３７】
また、前記圧力１３は、前記動作電極２周囲を覆う専用道具で圧力をかけても、直接圧力単体をかけてもどちらでもよい。
【０１３８】
また、前記レセプター溶液４の滴下方法は、垂らす，押し当てるなど前記レセプター溶液４が前記動作電極２を覆うようにできればどんな滴下方法でもよい。
【０１３９】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１４０】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１４１】
また、前記レセプター３の材料は特に記載しなかったが、抗体、抗原、ＤＮＡ・ＲＮＡプローブ、ペプチド、など生体材料ならなんでもよい。
【０１４２】
（実施の形態９）
図１０に示すように、実施の形態９は実施の形態３とほぼ同等の構成を有している。基板１上に動作電極２を形成し、レセプター溶液４を前記動作電極２上へ滴下する。前記動作電極２以外の表面の一部あるいは全面にレセプター３を分解させる分解手段１４を設ける。前記分解手段１４の構成に関しては、実施の形態１０，１１および１２で詳細を説明するが、ここでは前記レセプター３を分解する特性を有しているものである。前記動作電極２周囲に固相化された前記レセプター３に前記分解手段が及ぶように構成されている。
【０１４３】
上記構成において、前記分解手段１４が前記基板１上に固相化されたレセプター３を分解するが、前記動作電極２周囲に固相化されている前記レセプター３は前記分解１４により分解されるので、反応性を有する前記レセプター３が前記動作電極２上のみ固相化することができる。
【０１４４】
なお、前記レセプター溶液４の滴下方法は、垂らす，押し当てるなど前記レセプター溶液４が前記動作電極２を覆うようにできればどんな滴下方法でもよい。
【０１４５】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１４６】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１４７】
また、前記レセプター３の材料は特に記載しなかったが、抗体、抗原、ＤＮＡ・ＲＮＡプローブ、ペプチド、など生体材料ならなんでもよい。
【０１４８】
（実施の形態１０）
図１１に示すように、実施の形態９は実施の形態３とほぼ同等の構成を有し、実施の形態９と同一部分については同一番号を付し詳細な説明は省略する。基板１上に動作電極２を形成し、レセプター溶液４を前記動作電極２上へ滴下する。前記動作電極２以外の表面の一部あるいは全面にレセプター３を分解させる触媒１５を設ける。前記動作電極２周囲に固相化された前記レセプター３に前記触媒１５が及ぶように構成されている。
【０１４９】
上記構成において、前記触媒１５が前記基板１上に固相化された前記レセプター３を分解するが、前記動作電極２周囲に固相化されている前記レセプター３は前記触媒１５により分解されるので、反応性を有する前記レセプター３が前記動作電極２上のみ固相化することができる。
【０１５０】
なお、前記レセプター溶液４の滴下方法は、垂らす，押し当てるなど前記レセプター溶液４が前記動作電極２を覆うようにできればどんな滴下方法でもよい。
【０１５１】
また。前記触媒１５の種類は、前記レセプターを分解するものならなんでもよい。
【０１５２】
また、前記触媒１５は、前記動作電極２以外の表面の一部あるいは全面に施されているどちらでもよい。
【０１５３】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１５４】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１５５】
また、前記レセプター３の材料は特に記載しなかったが、抗体、抗原、ＤＮＡ・ＲＮＡプローブ、ペプチド、など生体材料ならなんでもよい。
【０１５６】
（実施の形態１１）
図１２に示すように、実施の形態１１は実施の形態１０とほぼ同等の構成を有し、実施の形態９あるいは１０と同一部分については同一番号を付し詳細な説明は省略する。基板１上に動作電極２を形成し、レセプター溶液４を前記動作電極２上へ滴下する。前記動作電極２以外の表面の一部あるいは全面の表面にレセプター３を分解させる触媒１５をコーティングする。前記動作電極２周囲に固相化された前記レセプター３に前記触媒１５が及ぶように構成されている。
【０１５７】
上記構成において、前記触媒１５が前記基板１上に固相化されたレセプター３を分解するが、前記動作電極２周囲に固相化されている前記レセプター３は前記触媒１５により分解されるので、反応性を有する前記レセプター３が前記動作電極２上のみ固相化することができる。
【０１５８】
なお、前記レセプター溶液４の滴下方法は、垂らす，押し当てるなど前記レセプター溶液４が前記動作電極２を覆うようにできればどんな滴下方法でもよい。
【０１５９】
また。前記触媒１５の種類は、前記レセプターを分解するものならなんでもよい。
【０１６０】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１６１】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１６２】
また、前記レセプター３の材料は特に記載しなかったが、抗体、抗原、ＤＮＡ・ＲＮＡプローブ、ペプチド、など生体材料ならなんでもよい。
【０１６３】
（実施の形態１２）
図１３に示すように、実施の形態１２は実施の形態１０とほぼ同等の構成を有し、実施の形態９あるいは１０と同一部分については同一番号を付し詳細な説明は省略する。基板１上に動作電極２を形成し、レセプター溶液４を前記動作電極２上へ滴下する。前記基板１に前記レセプター３を分解させる触媒１５を添加する。前記動作電極２周囲に固相化された前記レセプター３に前記触媒１５が及ぶように構成されている。
【０１６４】
上記構成において、前記触媒１５が前記基板１上に固相化されたレセプター３を分解するが、前記動作電極２周囲に固相化されている前記レセプター３は前記触媒１５により分解されるので、反応性を有する前記レセプター３が前記動作電極２上のみ固相化することができる。
【０１６５】
なお、前記レセプター溶液４の滴下方法は、垂らす，押し当てるなど前記レセプター溶液４が前記動作電極２を覆うようにできればどんな滴下方法でもよい。
【０１６６】
また。前記触媒１５の種類は、前記レセプターを分解するものならなんでもよい。
【０１６７】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１６８】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１６９】
また、前記レセプター３の材料は特に記載しなかったが、抗体、抗原、ＤＮＡ・ＲＮＡプローブ、ペプチド、など生体材料ならなんでもよい。
【０１７０】
（実施の形態１３）
図１４に示すように、実施の形態１３は実施の形態１０とほぼ同等の構成を有している。
基板１上に動作電極２を形成し、レセプター溶液４を前記動作電極２上へ滴下しレセプター３を固相化させる。前記動作電極２周囲に前記レセプター３の反応部位をブロッキングさせるブロッキング手段１６を設ける。固相化後前記動作電極２を覆う遮蔽部７を前記動作電極２上へ設け、前記動作電極２周囲に固相化された前記レセプター３にブロッキング手段１６が及ぶように構成されている。前記ブロッキング手段１６の構成に関しては、実施の形態１４および１５で詳細を説明するが、ここでは前記レセプター３の反応部位をブロックする特性を有しているものである。前記動作電極２周囲に固相化された前記レセプター３に前記ブロッキング手段１６が及ぶように構成されている。実施の形態１４では、ブロッキング手段１６は予め検知対象物１７と反応させることであり、実施の形態１５では、ブロッキング手段１６は予めレセプター３の反応部位に結合する結合物１８反応させることである。詳細を実施の形態１４、１５に記載する。
【０１７１】
上記構成において、前記ブロッキング手段１６が前記基板１上に固相化されたレセプター３の反応部位をブロッキングするが、前記動作電極２上に固相化された前記レセプター３は前記遮蔽部７により前記ブロッキング手段１６から遮断され、前記動作電極２周囲に固相化されている前記レセプター３は前記ブロッキング手段１６により反応部位をブロッキングするので、反応性を有する前記レセプター３が前記動作電極２上のみ固相化することができる。
【０１７２】
なお、前記遮蔽部７に用いる材料は、前記ブロッキング手段１６に耐性を有している材料ならなんでもよい。
【０１７３】
また、前記レセプター溶液４の滴下方法は、垂らす，押し当てるなど前記レセプター溶液４が前記動作電極２を覆うようにできればどんな滴下方法でもよい。
【０１７４】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１７５】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１７６】
また、前記レセプター３の材料は特に記載しなかったが、抗体、抗原、ＤＮＡ・ＲＮＡプローブ、ペプチド、など生体材料ならなんでもよい。
【０１７７】
（実施の形態１４）
図１５に示すように、実施の形態１４は実施の形態１３とほぼ同等の構成を有し、実施の形態１３と同一部分については同一番号を付し詳細な説明は省略する。基板１上に動作電極２を形成し、レセプター溶液４を前記動作電極２上へ滴下しレセプター３を固相化させる。固相化後前記動作電極２を覆う遮蔽部７を前記動作電極２上へ設け、あらかじめ検知対象物１７と反応させるように構成されている。
【０１７８】
上記構成において、前記検知対象物１７が前記基板１上に固相化されたレセプター３の反応部位と反応し、前記動作電極２上に固相化された前記レセプター３は前記遮蔽部７により前記検知対象物１７の結合から遮断され、前記動作電極２周囲に固相化されている前記レセプター３は前記検知対象物１７により反応部位にあらかじめ反応するので、反応性を有する前記レセプター３が前記動作電極２上のみ固相化することができる。
【０１７９】
なお、前記遮蔽部７に用いる材料は、前記検知対象物１７に耐性を有している材料ならなんでもよい。
【０１８０】
また、前記レセプター溶液４の滴下方法は、垂らす，押し当てるなど前記レセプター溶液４が前記動作電極２を覆うようにできればどんな滴下方法でもよい。
【０１８１】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１８２】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１８３】
また、前記レセプター３および前記検知対象物１７の材料は特に記載しなかったが、抗体、抗原、ＤＮＡ・ＲＮＡプローブ、ペプチド、など生体材料ならなんでもよい。
【０１８４】
（実施の形態１５）
図１６に示すように、実施の形態１５は実施の形態１３とほぼ同等の構成を有し、実施の形態１３と同一部分については同一番号を付し詳細な説明は省略する。基板１上に動作電極２を形成し、レセプター溶液４を前記動作電極２上へ滴下しレセプター３を固相化させる。固相化後前記動作電極２を覆う遮蔽部７を前記動作電極２上へ設け、あらかじめ前記レセプター３の反応部位に結合する結合物１８反応させるように構成されている。
【０１８５】
上記構成において、前記結合物１８が前記基板１上に固相化されたレセプター３の反応部位と反応し、前記動作電極２上に固相化された前記レセプター３は前記遮蔽部７により前記結合物１８の結合から遮断され、前記動作電極２周囲に固相化されている前記レセプター３は前記結合物１８により反応部位にあらかじめ反応するので、反応性を有する前記レセプター３が前記動作電極２上のみ固相化することができる。
【０１８６】
なお、前記遮蔽部７に用いる材料は、前記結合物１８に耐性を有している材料ならなんでもよい。
【０１８７】
また、前記レセプター溶液４の滴下方法は、垂らす，押し当てるなど前記レセプター溶液４が前記動作電極２を覆うようにできればどんな滴下方法でもよい。
【０１８８】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１８９】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１９０】
また、前記レセプター３および前記結合物１８の材料は特に記載しなかったが、抗体、抗原、ＤＮＡ・ＲＮＡプローブ、ペプチド、など生体材料ならなんでもよい。
【０１９１】
（実施の形態１６）
図１７に示すように、実施の形態１６は実施の形態３とほぼ同等の構成を有している。基板１上に動作電極２を形成し、レセプター溶液４を前記動作電極２上へ滴下する。前記動作電極２以外の表面の一部あるいは全面に被覆部１９を設ける。前記被覆部１９の構成に関しては、実施の形態１７，１８および１９で詳細を説明するが、ここでは前記レセプター溶液４が前記動作電極２以外の表面にいかない特性を有しているものである。前記レセプター溶液４が前記動作電極２周囲にいかないように構成されている。
【０１９２】
上記構成において、前記被覆部１９が前記レセプター溶液４を前記動作電極２以外の表面にいかないようにしているので、反応性を有する前記レセプター３が前記動作電極２上のみ固相化することができる。
【０１９３】
なお、前記被覆部１９に用いる材料は、前記レセプター溶液４に耐性をもっているものならなんでもよい。
【０１９４】
また、前記レセプター溶液４の滴下方法は、垂らす，押し当てるなど前記レセプター溶液４が前記動作電極２を覆うようにできればどんな滴下方法でもよい。
【０１９５】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０１９６】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０１９７】
また、前記レセプター３の材料は特に記載しなかったが、抗体、抗原、ＤＮＡ・ＲＮＡプローブ、ペプチド、など生体材料ならなんでもよい。
【０１９８】
（実施の形態１７）
図１８に示すように、実施の形態１７は実施の形態１６とほぼ同等の構成を有し、実施の形態１６と同一部分については同一番号を付し詳細な説明は省略する。基板１上に動作電極２を形成し、レセプター溶液４を前記動作電極２上へ滴下する。前記動作電極２以外の表面の一部あるいは全面に上方に高く被覆部１９を設ける。前記レセプター溶液４が前記動作電極２周囲にいかないように構成されている。
【０１９９】
上記構成において、前記被覆部１９が上方に高く形成しているため前記レセプター溶液４を前記動作電極２以外の表面にいかないようになるので、反応性を有する前記レセプター３が前記動作電極２上のみ固相化することができる。
【０２００】
なお、前記被覆部１９に用いる材料は、前記レセプター溶液４に耐性をもっているものならなんでもよい。
【０２０１】
また、前記被覆部１９の高さは、前記レセプター溶液４を滴加する必要量が前記動作電極２周囲にいかない高さで自由に寸法を決めることができる。
【０２０２】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０２０３】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０２０４】
また、前記レセプター３の材料は特に記載しなかったが、抗体、抗原、ＤＮＡ・ＲＮＡプローブ、ペプチド、など生体材料ならなんでもよい。
【０２０５】
（実施の形態１８）
図１９に示すように、実施の形態１８は実施の形態１６とほぼ同等の構成を有し、実施の形態１６と同一部分については同一番号を付し詳細な説明は省略する。基板１上に動作電極２を形成し、レセプター溶液４を前記動作電極２上へ滴下する。前記動作電極２以外の表面の一部あるいは全面に取り外しできるシール２０を設ける。前記レセプター溶液４が前記動作電極２周囲にいかないように構成されている。
【０２０６】
上記構成において、前記シール２０を設けているため前記レセプター溶液４が前記動作電極２以外にいったとしても、前記シール２０を取り外しすれば前記レセプター溶液を前記動作電極２以外の表面にいかないようになるので、反応性を有する前記レセプター３が前記動作電極２上のみ固相化することができる。
【０２０７】
なお、前記シール２０に用いる材料は、前記レセプター溶液４に耐性をもっているものならなんでもよい。
【０２０８】
また、前記シール２０の取り外しは、前記動作電極２に前記レセプター溶液を固相化している途中でも固相化後でもどちらでもよい。
【０２０９】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０２１０】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０２１１】
また、前記レセプター３の材料は特に記載しなかったが、抗体、抗原、ＤＮＡ・ＲＮＡプローブ、ペプチド、など生体材料ならなんでもよい。
【０２１２】
（実施の形態１９）
図２０に示すように、実施の形態１９は実施の形態１６とほぼ同等の構成を有し、実施の形態１６と同一部分については同一番号を付し詳細な説明は省略する。基板１上に動作電極２を形成し、レセプター溶液４を前記動作電極２上へ滴下する。前記動作電極２以外の表面の一部あるいは全面に撥水手段２１を設ける。前記レセプター溶液４が前記動作電極２周囲にいかないように構成されている。
【０２１３】
上記構成において、前記撥水手段２１を設けているため前記レセプター溶液４が前記動作電極２以外にいったとしても、前記レセプター溶液４ははじいて前記動作電極２以外の表面にいかないようになるので、反応性を有する前記レセプター３が前記動作電極２上のみ固相化することができる。
【０２１４】
なお、前記撥水手段２１は、前記基板１の表面にコーティングしても、また前記基板１に添加してもどちらでもよい。
【０２１５】
また、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０２１６】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０２１７】
また、前記レセプター３の材料は特に記載しなかったが、抗体、抗原、ＤＮＡ・ＲＮＡプローブ、ペプチド、など生体材料ならなんでもよい。
【０２１８】
（実施の形態２０）
図２１に示すように、実施の形態２０は実施の形態３とほぼ同等の構成を有している。基板１上に動作電極２を形成し、レセプター溶液４を前記動作電極２上へ滴下する。前記動作電極２に加工手段２２を施す。前記加工手段２２の構成に関しては、実施の形態２１で詳細な説明をするが、ここでは前記レセプター溶液４が前記動作電極２以外の表面にいかない特性を有しているものである。前記レセプター溶液４が前記動作電極２周囲にいかないように構成されている。
【０２１９】
上記構成において、前記加工手段２２が前記レセプター溶液４を前記動作電極２以外の表面にいかないようにしているので、反応性を有する前記レセプター３が前記動作電極２上のみ固相化することができる。
【０２２０】
なお、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０２２１】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０２２２】
また、前記レセプター３の材料は特に記載しなかったが、抗体、抗原、ＤＮＡ・ＲＮＡプローブ、ペプチド、など生体材料ならなんでもよい。
【０２２３】
（実施の形態２１）
図２２に示すように、実施の形態２１は実施の形態２０とほぼ同等の構成を有し、実施
の形態２０と同一部分については同一番号を付し詳細な説明は省略する。
【０２２４】
基板１上に動作電極２を形成し、レセプター溶液４を前記動作電極２上へ滴下する。前記動作電極２の中央部を凹部２３に形成する。前記レセプター溶液４が前記動作電極２周囲にいかないように構成されている。
【０２２５】
上記構成において、前記加工手段２２が前記レセプター溶液４を前記動作電極２以外の表面にいかないようにしているので、反応性を有する前記レセプター３が前記動作電極上のみ固相化することができる。
【０２２６】
なお、前記動作電極２に用いる材料は、金や白金などの貴金属、カーボン、セラミックスなどの導電性の材料であり、目的の反応のみを高感度に検出し、他の反応の影響を受けにくい材料ならなんでもよい。
【０２２７】
また、前記凹部２３の寸法は、前記レセプター溶液４を滴加する必要量が前記動作電極２周囲にいかないように自由に寸法を決めることができる。
【０２２８】
また、前記基板１に用いる材料は、ガラス、合成樹脂など絶縁性のある材料であり、任意の厚さで形成され、前記動作電極２材料を安定的に固定化でき、前記レセプター溶液４や試薬溶液の影響を受けない素材ならなんでもよい。
【０２２９】
また、前記レセプター３の材料は特に記載しなかったが、抗体、抗原、ＤＮＡ・ＲＮＡプローブ、ペプチド、など生体材料ならなんでもよい。
【産業上の利用可能性】
【０２３０】
本発明にかかるレセプター固相化方法とチップ構成は、レセプター溶液が前記動作電極上のみ接触し固相化することができ、また、レセプター溶液が周囲に広がり固相化されても反応性を有する前記レセプターが前記動作電極上のみ固相化することができることを有し、検知対象物、例えば、抗原となり得る化学物質や環境ホルモンやタンパク質や微生物・ウイルス等迅速に検知するのに使用される環境分野や食品分野や医療分野の検査・診断におけるバイオセンサチップ作製として有用である。
【図面の簡単な説明】
【０２３１】
【図１】本発明の実施の形態１のレセプター固相化方法のチップの断面図
【図２】同レセプター固相化方法のチップの断面図
【図３】本発明の実施の形態２のレセプター固相化方法のチップの断面図
【図４】本発明の実施の形態３のレセプター固相化方法のチップの断面図
【図５】本発明の実施の形態４のレセプター固相化方法のチップの断面図
【図６】本発明の実施の形態５のレセプター固相化方法のチップの断面図
【図７】本発明の実施の形態６のレセプター固相化方法のチップの断面図
【図８】本発明の実施の形態７のレセプター固相化方法のチップの断面図
【図９】本発明の実施の形態８のレセプター固相化方法のチップの断面図
【図１０】本発明の実施の形態９のレセプター固相化方法のチップの断面図
【図１１】本発明の実施の形態１０のレセプター固相化方法のチップの断面図
【図１２】本発明の実施の形態１１のレセプター固相化方法のチップの断面図
【図１３】本発明の実施の形態１２のレセプター固相化方法のチップの断面図
【図１４】本発明の実施の形態１３のレセプター固相化方法のチップの断面図
【図１５】本発明の実施の形態１４のレセプター固相化方法のチップの断面図
【図１６】本発明の実施の形態１５のレセプター固相化方法のチップの断面図
【図１７】本発明の実施の形態１６のチップ構成の断面図
【図１８】本発明の実施の形態１７のチップ構成の断面図
【図１９】本発明の実施の形態１８のチップ構成の断面図
【図２０】本発明の実施の形態１９のチップ構成の断面図
【図２１】本発明の実施の形態２０のチップ構成の断面図
【図２２】本発明の実施の形態２１のチップ構成の断面図
【図２３】従来のレセプター固相化方法のチップ構成の断面図
【符号の説明】
【０２３２】
１      基板
２      動作電極
３      レセプター
４      レセプター溶液
５      押し当て手段
６      含有部
７      遮蔽部
８      分解・破壊手段
９      熱
１０    溶剤
１１    ＵＶ（紫外線）
１２    削る
１３    圧力
１４    分解手段
１５    触媒
１６    ブロッキング手段
１７    検知対象物
１８    結合物
１９    被覆部
２０    シール
２１    撥水手段
２２    加工手段
２３    凹部
１０１  分注体
１０２  毛細血管部
１０３  試料
１０４  プレート
【図１】
2006071399.tif 000003
【図２】
2006071399.tif 000004
【図３】
2006071399.tif 000005
【図４】
2006071399.tif 000006
【図５】
2006071399.tif 000007
【図６】
2006071399.tif 000008
【図７】
2006071399.tif 000009
【図８】
2006071399.tif 000010
【図９】
2006071399.tif 000011
【図１０】
2006071399.tif 000012
【図１１】
2006071399.tif 000013
【図１２】
2006071399.tif 000014
【図１３】
2006071399.tif 000015
【図１４】
2006071399.tif 000016
【図１５】
2006071399.tif 000017
【図１６】
2006071399.tif 000018
【図１７】
2006071399.tif 000019
【図１８】
2006071399.tif 000020
【図１９】
2006071399.tif 000021
【図２０】
2006071399.tif 000022
【図２１】
2006071399.tif 000023
【図２２】
2006071399.tif 000024
【図２３】
2006071399.tif 000025